【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
原油精製施設で実施される方法であって：
複数の油精製プラントを備え、前記油精製プラントはそれぞれ少なくとも１つの油精製プロセスを実行するように構成され、前記複数の油精製プラントの間を複数のそれぞれの温度のストリームが流れる前記原油精製施設において、
前記複数の油精製プラントの芳香族炭化水素複合施設内のラフィネート塔頂ストリームを備える芳香族炭化水素複合施設ストリームを１つ以上の熱交換器の第１の熱交換器へ流すステップと；
前記複数の油精製プラントの第１の油精製プラントから、前記第１の熱交換器へ、ストリームを流すステップであって、前記第１の油精製プラントは前記芳香族炭化水素複合施設とは異なるプラントであり、前記第１の熱交換器は、前記芳香族炭化水素複合施設ストリームから、前記第１の油精製プラントからの前記ストリームへ、熱を伝達する、ステップと；
前記第１の油精製プラントでの油精製プロセスで、前記芳香族炭化水素複合施設ストリームによって加熱された前記第１の油精製プラントからのストリームを利用するステップと；
を備え、
前記芳香族炭化水素複合施設は、芳香族炭化水素複合施設キシレン生成物分離ユニット及びベンゼン抽出ユニットを備える複数の芳香族炭化水素複合施設サブユニットを備え、前記複数の油精製プラントは、硫黄回収プラント、Ｃ２からＣ４の少なくとも１つを含むガス分離プラントストリームが流れるガス分離プラント、水素プラント、サワーウォータストリッパプラント、弱アミン塩を含む酸性ガス再生塔底ストリームが流れるアミン再生プラント及びディーゼル水素処理プラントを備える、
方法。
【請求項２】
前記芳香族炭化水素複合施設ストリームは、前記複数の前記芳香族炭化水素複合施設サブユニットの１つ以上からの複数のストリームを備え、
前記１つ以上の熱交換器は、前記複数の芳香族炭化水素複合施設サブユニットの１つ以上からの前記複数のストリームを用いて、前記第１の油精製プラントからのストリームを直接的に加熱する、
請求項１に記載の方法。
【請求項３】
前記芳香族炭化水素複合施設ストリームは、芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて前記硫黄回収プラントのアミン再生塔底ストリームを加熱するステップと；
第２の熱交換器において、前記ラフィネート塔頂ストリームの第２の分岐を用いて、前記ガス分離プラント内のＣ３／Ｃ４スプリッタ塔底ストリームを加熱するステップと；
第３の熱交換器において、前記ラフィネート塔頂ストリームの第３の分岐を用いて、前記ガス分離器プラント中の脱エタン塔底ストリームを加熱するステップと；
前記加熱されたアミン再生塔底ストリームを、前記硫黄回収プラントへ流すステップと；
前記加熱されたＣ３／Ｃ４スプリッタ塔底ストリームと、前記加熱された脱エタン塔底ストリームとを、前記ガス分離プラント内へ流すステップと；
を備える、
請求項２に記載の方法。
【請求項４】
前記第１の熱交換器、前記第２の熱交換器及び前記第３の熱交換器は、互いに並列に流体的に連結される、
請求項３の方法。
【請求項５】
前記第１の熱交換器において、水素プラント内の低温シフト（ＬＴＳ）水素プラントストリームを用いて、前記芳香族炭化水素複合施設内のラフィネートスプリッタ塔底ストリームを加熱するステップと；
第２の熱交換器において、前記ディーゼル水素処理プラント内のディーゼルストリッパ塔頂ストリームを用いて、前記サワーウォータストリッパプラント内のサワーウォータストリッパ低温塔底ストリームの第１の分岐を加熱するステップと；
第３の熱交換器において、前記ディーゼル水素処理プラント内のディーゼルストリッパ塔底留分ストリームを用いて、前記サワーウォータストリッパ低温塔底ストリームの第２の分岐を加熱するステップと；
前記加熱されたラフィネートスプリッタ塔底ストリームを前記ベンゼン抽出ユニットへ流すステップと；
前記サワーウォータストリッパ低温塔底ストリームの、前記加熱された第１の分岐及び前記加熱された第２の分岐を、前記サワーウォータストリッパプラントへ流すステップと；
を備える、
請求項２に記載の方法。
【請求項６】
前記第２の熱交換器と、前記第３の熱交換器とは、互いに並列に流体的に連結される、
請求項５に記載の方法。
【請求項７】
前記芳香族炭化水素複合施設ストリームは、芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて、前記サワーウォータストリッパプラント内のサワーウォータストリッパ低温塔底ストリームを加熱するステップと；
第２の熱交換器において、前記ラフィネート塔頂ストリームの第２の分岐を用いて、前記ガス分離プラント内のＣ３／Ｃ４スプリッタ塔底ストリームを加熱するステップと；
第３の熱交換器において、前記ラフィネート塔頂ストリームの第３の分岐を用いて、前記ガス分離プラント中の脱エタン塔底ストリームを加熱するステップと；
前記加熱されたサワーウォータストリッパ低温塔底ストリームの分岐を、前記サワーウォータストリッパプラント内へ流すステップと；
前記加熱されたＣ３／Ｃ４スプリッタ塔底ストリーム及び前記加熱された脱エタン塔底ストリームを、前記ガス分離プラント内へ流すステップと；
を備える、
請求項２に記載の方法。
【請求項８】
前記第１の熱交換器、前記第２の熱交換器及び前記第３の熱交換器は、互いに並列に連結される、
請求項７に記載の方法。
【請求項９】
前記芳香族炭化水素複合施設ストリームは、芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて、前記サワーウォータストリッパプラント内のサワーウォータストリッパ低温塔底ストリームを加熱するステップと；
第２の熱交換器において、前記ラフィネート塔頂ストリームの第２の分岐を用いて、アミン再生塔底ストリームを加熱するステップと；
前記加熱されたサワーウォータストリッパ低温塔底ストリームを、前記サワーウォータストリッパプラント内へ流すステップと；
前記加熱されたアミン再生塔底ストリームを、前記硫黄回収プラントへ流すステップと；
を備える、
請求項２に記載の方法。
【請求項１０】
前記第１の熱交換器及び前記第２の熱交換器は、互いに並列に流体的に連結される、
請求項９に記載の方法。
【請求項１１】
前記芳香族炭化水素複合施設ストリームは芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて、前記アミン再生塔プラントの前記酸性ガス再生塔底ストリームを加熱するステップと；
第２の熱交換器において、前記ラフィネート塔頂ストリームの第２の分岐を用いて、アミン再生塔底ストリームを加熱するステップと；
前記加熱された低温の酸性ガス再生塔底ストリームを、前記アミン再生プラントへ流すステップと；
前記加熱されたアミン再生塔底ストリームを、前記硫黄回収プラントへ流すステップと；
を備える、
請求項２に記載の方法。
【請求項１２】
前記第１の熱交換器及び前記第２の熱交換器は、互いに並列に流体的に連結される、
請求項１１に記載の方法。
【請求項１３】
前記芳香族炭化水素複合施設ストリームは芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて、酸性ガス再生塔底ストリームを加熱するステップと；
第２の熱交換器において、前記ラフィネート塔頂ストリームの第２の分岐を用いて、サワーウォータストリッパプラント塔底ストリームを加熱するステップと；
前記加熱された酸性ガス再生塔低温塔底ストリームを、前記アミン再生プラントへ流すステップと；
前記加熱されたサワーウォータストリッパプラント塔底ストリームを、前記サワーウォータストリッパプラントへ流すステップと；
を備える、
請求項２に記載の方法。
【請求項１４】
前記第１の熱交換器及び前記第２の熱交換器は、互いに並列に流体的に連結される、
請求項１３に記載の方法。
【請求項１５】
前記芳香族炭化水素複合施設ストリームは芳香族炭化水素複合施設キシレン分離ユニット内のラフィネート塔頂ストリームを備え、
前記ストリームを直接的に加熱することは：
前記第１の熱交換器において、前記ラフィネート塔頂ストリームの第１の分岐を用いて、前記アミン再生塔プラントの酸性ガス再生塔底ストリームを加熱するステップと；
第２の熱交換器において、前記ラフィネート塔頂ストリームの第２の分岐を用いて、前記サワーウォータストリッパプラント内のサワーウォータストリッパプラント塔底ストリームを加熱するステップと；
第３の熱交換器において、前記芳香族炭化水素複合施設内の抽出塔頂ストリームを用いて、前記硫黄回収プラントのアミン再生塔底ストリームを加熱するステップと；
前記加熱された酸性ガス再生塔低温塔底ストリームを、前記アミン再生プラントへ流すステップと；
前記加熱されたサワーウォータストリッパプラント塔底ストリームを、前記サワーウォータストリッパプラントへ流すステップと；
前記加熱されたアミン再生塔底ストリームを、前記硫黄回収プラントへ流すステップと；
を備える、
請求項２に記載の方法。
【請求項１６】
前記第１の熱交換器及び前記第２の熱交換器は、互いに並列に流体的に連結される、
請求項１５に記載の方法。
【請求項１７】
前記１つ以上の熱交換器が、前記芳香族炭化水素複合施設ストリームを用いて、前記第１の油精製プラントからの前記ストリームを、緩衝流体を介して間接的に加熱する、
請求項１に記載の方法。
【請求項１８】
前記緩衝流体は少なくとも油又は水を備える、
請求項１７に記載の方法。
【請求項１９】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記硫黄回収プラントへ流すステップと；
第２の熱交換器において、前記加熱された緩衝流体の第１の分岐を用いて、アミン再生塔底ストリームを加熱するステップと：
前記第２の熱交換器を出る前記緩衝流体を、第１及び第２の分岐に分割するステップと；
前記加熱された緩衝流体の前記第１の分岐を、前記ガス分離プラントへ流すステップと；
第３の熱交換器において、前記加熱された緩衝流体の前記第２の分岐を用いて、前記ガス分離プラントストリーム内の脱エタン塔底ストリームを加熱するステップと；
前記加熱された緩衝流体の前記第２の分岐を前記ガス分離プラントへ流すステップと；
第４の熱交換器において、前記緩衝流体の前記第３の分岐を用いて前記ベンゼン抽出ユニット内のＣ３／Ｃ４スプリッタ塔底ストリームを加熱するステップと；
を備える、
請求項１７に記載の方法。
【請求項２０】
前記第２の分岐及び前記第３の分岐は前記ガス分離プラントと並行して流れ、
前記第３の熱交換器及び前記第４の熱交換器をそれぞれ出る前記第２の分岐及び前記第３の分岐を合流させ、合流した緩衝流体ストリームとなすステップと；
前記合流した緩衝流体ストリームを緩衝流体タンクへ流すステップと；
を更に備える、
請求項１９に記載の方法。
【請求項２１】
前記第１の熱交換器及び前記第２の熱交換器は互いに直列に流体的に連結され、前記第３の熱交換器は、前記第２の熱交換器に直列に流体的に連結され、前記第４の熱交換器は、前記第２の熱交換器に直列に流体的に連結する、
請求項１９に記載の方法。
【請求項２２】
前記第１の油精製プラントからの前記ストリームを、前記緩衝流体を介して間接的に加熱することは：
前記第１の熱交換器において、前記水素プラント内の低温シフト（ＬＴＳ）転化生成物ストリームを用いて、前記緩衝流体の第１の分岐を加熱するステップと；
第２熱交換器において、前記ディーゼル水素処理プラント内のディーゼルストリッパ塔頂ストリームを用いて、前記緩衝流体の第２の分岐を加熱するステップと；
第３熱交換器において、前記ディーゼル水素処理プラント内のディーゼルストリッパ塔底留分ストリームを用いて、前記緩衝流体の第３の分岐を加熱するステップと；
前記加熱された第１の分岐、前記加熱された第２の分岐及び前記加熱された第３の分岐を合流させ、加熱された緩衝流体となすステップと；
前記合流した、加熱された第１の分岐、加熱された第２の分岐及び加熱された第３の分岐を、前記サワーウォータストリッパプラントへ流すステップと；
第４の熱交換器において、前記合流した、加熱された第１の分岐、加熱された第２の分岐及び加熱された第３の分岐を用いて、サワーウォータストリッパ塔底ストリームを加熱するステップと；
前記第４熱交換器を出る、前記合流した、加熱された第１の分岐、加熱された第２分岐及び加熱された第３の分岐を、ベンゼン抽出ユニットへ流すステップと；
第５の熱交換器において、前記第４の熱交換器から受け取られた、前記合流した、加熱された第１の分岐、加熱された第２の分岐及び加熱された第３の分岐を用いて、前記ベンゼン抽出ユニット内のラフィネート塔ストリームを加熱するステップと；
を備える、
請求項１７に記載の方法。
【請求項２３】
前記第５の熱交換器を出る前記加熱された緩衝流体を、緩衝流体タンクへ流すステップを更に備える、
請求項２２に記載の方法。
【請求項２４】
前記第１の熱交換器、前記第２の熱交換器及び前記第３の熱交換器は、互いに並列に流体的に連結され、前記第４の熱交換器は、前記第１の熱交換器、前記第２の熱交換器及び前記第３の熱交換器の組み合わせと並列に流体的に連結され、前記第５の熱交換器は、前記第４の熱交換器と直列に流体的に連結される、
請求項２２に記載の方法。
【請求項２５】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器から出る前記加熱された緩衝流体を、前記サワーウォータストリッパプラントへ流すステップと；
第２の熱交換器において、前記第１の熱交換器から受け取られる前記加熱された緩衝流体の第１の分岐を用いて、前記サワーウォータストリッパプラント内のサワーウォータストリッパ低温塔底ストリームを加熱するステップと；
前記第２の熱交換器から受け取られる前記加熱された緩衝流体を、第１の分岐及び第２の分岐に分割するステップと；
前記第１の分岐を、前記ガス分離プラントへ流すステップと；
第３の熱交換器において、前記第１の分岐を用いて、前記ガス分離プラント内の脱エタン塔底ストリームを加熱するステップと；
前記第２の分岐を、前記ガス分離プラントへ流すステップと；
第４の熱交換器において、前記第２の分岐を用いて、前記ベンゼン抽出ユニット内のＣ３／Ｃ４スプリッタ塔底ストリームを加熱するステップと；
を備える、
請求項１７に記載の方法。
【請求項２６】
前記第３の熱交換器及び前記第４の熱交換器をそれぞれ出る前記第１の分岐及び前記第２の分岐を合流させ、合流した緩衝流体ストリームとなすステップと；
前記合流した緩衝流体ストリームを緩衝流体タンクへ流すステップと；
を更に備える、
請求項２５に記載の方法。
【請求項２７】
前記第１の熱交換器及び前記第２の熱交換器は互いに直列に流体的に連結され、前記第２の熱交換器及び前記第３の熱交換器は互いに直列に流体的に連結され、前記第３の熱交換器と前記第４の熱交換器は互いに並列に連結され、前記第２の熱交換器は、前記第３及び第４の熱交換器の組み合わせに直列に流体的に連結される、
請求項２５に記載の方法。
【請求項２８】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、第１の分岐及び第２の分岐に分割するステップと；
前記第１の分岐を、前記硫黄回収プラントに流すステップと；
第２の熱交換器において、前記第１の分岐を用いて、前記硫黄回収プラント内のアミン再生塔底ストリームを加熱するステップと；
前記第２の分岐を、前記サワーウォータストリッパプラントへ流すステップと；
第３の熱交換器において、前記第２の分岐を用いて、前記硫黄回収プラント内のサワーウォータストリッパ塔底ストリームを加熱するステップと；
を備える、
請求項１７に記載の方法。
【請求項２９】
前記第１の分岐及び前記第２の分岐は、前記サワーウォータストリッパプラントへ並列に流入し、
前記第２の熱交換器及び前記第３の熱交換器をそれぞれ出る前記第１の分岐及び前記第２の分岐を合流させ、合流した緩衝流体ストリームとなすステップと；
前記合流した緩衝流体ストリームを、緩衝流体タンクへ流すステップと；
を更に備える、
請求項２８に記載の方法。
【請求項３０】
前記第２の熱交換器及び前記第３の熱交換器は互いに並行に流体的に連結され、前記第１の熱交換器と、前記第２の熱交換器及び前記第３の熱交換器の組み合わせとが、互いに直列に流体的に連結される、
請求項２８に記載の方法。
【請求項３１】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記硫黄回収プラントへ流すステップと；
第２の熱交換器において、前記第１の熱交換器から受け取られた前記加熱された緩衝流体を用いて、前記硫黄回収プラント内のアミン再生塔底ストリームを加熱するステップと；
前記第２の熱交換器を出る前記加熱された緩衝流体を、前記アミン再生プラントへ流すステップと；
第３の熱交換器において、前記第２の熱交換器から受け取られた前記加熱された緩衝流体を用いて、前記アミン再生プラント内の酸性ガス再生塔底ストリームを加熱するステップと；
を備える、
請求項１７に記載の方法。
【請求項３２】
前記第１の熱交換器、前記第２の熱交換器及び前記第３の熱交換器は、互いに直列に連結され、
前記第３の熱交換器を出る前記緩衝流体ストリームを、緩衝流体タンクへ流すステップを更に備える、
請求項３１に記載の方法。
【請求項３３】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記サワーウォータストリッパプラントへ流すステップと；
第２の熱交換器において、前記第１の熱交換器から受け取られる前記加熱された緩衝流体を用いて、前記サワーウォータストリッパプラント内のサワーウォータストリッパプラント塔底ストリームを加熱するステップと；
前記第２の熱交換器を出る前記加熱された緩衝流体を、前記アミン再生プラントへ流すステップと；
第３の熱交換器において、前記第２の熱交換器から受け取られる前記加熱された緩衝流体の第２の分岐を用いて、前記アミン再生プラント内の酸性ガス再生塔低温塔底ストリームを加熱するステップと；
を備える、
請求項１７に記載の方法。
【請求項３４】
前記第１の熱交換器、前記第２の熱交換器及び前記第３の熱交換器は、互いに直列に連結され、
前記第３の熱交換器を出る前記緩衝流体ストリームを、緩衝流体タンクへ流すステップを更に備える、
請求項３３に記載の方法。
【請求項３５】
前記第１の油精製プラントからの前記ストリームを、前記緩衝流体を介して間接的に加熱することは：
前記第１の熱交換器において、前記芳香族炭化水素複合施設キシレン生成物分離ユニット内のラフィネート塔頂ストリームを用いて、前記緩衝流体の第１の分岐を加熱するステップと；
第４の熱交換器において、前記芳香族炭化水素複合施設内で抽出塔頂ストリームを用いて、前記緩衝流体の第２の分岐を加熱するステップと；
前記第１の熱交換器を出る前記加熱された緩衝流体の前記第１の分岐を、前記サワーウォータストリッパプラントへ流すステップと；
第２の熱交換器において、前記第１の熱交換器から受け取られた前記加熱された緩衝流体の前記第１の分岐を用いて、前記サワーウォータストリッパプラント内のサワーウォータストリッパ塔底ストリームを加熱するステップと；
前記第２の熱交換器を出る前記加熱された緩衝流体を前記アミン再生プラントへ流すステップと；
第３の熱交換器において、前記第２の熱交換器から受け取られた前記加熱された緩衝流体を用いて、酸性ガス再生塔底ストリームを加熱するステップと；
前記第４の熱交換器を出る前記加熱された緩衝流体の前記第２の分岐を、前記硫黄回収プラントへ流すステップと；
第５の熱交換器において、前記第４の熱交換器から受け取られた前記加熱された緩衝流体を用いて、前記硫黄回収プラント内のアミン再生塔底ストリームを加熱するステップと；
を備える、
請求項１７に記載の方法。
【請求項３６】
前記第３の熱交換器を出る前記第１の分岐と、前記第５の熱交換器を出る前記第２の分岐とを合流させ、合流した緩衝流体ストリームとなすステップと；
前記合流した緩衝流体ストリームを緩衝流体タンクへ流すステップと；
を更に備える、
請求項３５に記載の方法。
【請求項３７】
前記第１の熱交換器及び前記第４の熱交換器は互いに並列に流体的に連結され、前記第１の熱交換器及び前記第２の熱交換器は互いに直列に流体的に連結され、前記第２の熱交換器及び前記第３の熱交換器は互いに直列に流体的に連結され、前記第５の熱交換器及び前記第４の熱交換器は互いに直列に流体的に連結される、
請求項３５に記載の方法。
【手続補正２】
【補正対象書類名】明細書
【補正対象項目名】０１９５
【補正方法】変更
【補正の内容】
【０１９５】
以上、このように本主題の特定の実施について説明した。その他の実施は、以下に続く特許請求項の範囲に含まれる。
以下、本発明の実施の態様の例を列挙する。
［第１の局面］
原油精製施設で実施される方法であって：
複数の油精製プラントを備え、前記油精製プラントはそれぞれ少なくとも１つの油精製プロセスを実行するように構成され、前記油精製プラントはそれぞれ複数の相互接続された油精製サブシステムを備え、前記複数の油精製サブシステムの間を複数のそれぞれの温度のストリームが流れる前記原油精製施設において、
前記複数の油精製プラントの芳香族炭化水素プラント内の芳香族炭化水素プラントストリームを第１の熱交換器へ流すステップと；
前記複数の油精製プラントの第１の油精製プラントから、前記第１の熱交換器へ、ストリームを流すステップであって、前記第１の油精製プラントは前記芳香族炭化水素プラントとは異なるプラントであり、前記第１の熱交換器は、前記芳香族炭化水素プラントストリームから、前記第１の油精製プラントからの前記ストリームへ、熱を伝達する、前記複数の油精製プラントの第１の油精製プラントから、前記第１の熱交換器へ、ストリームを流すステップと；
前記第１の油精製プラントでの油精製プロセスで、前記芳香族炭化水素プラントストリームによって加熱された前記第１の油精製プラントからのストリームを利用するステップと；
を備える、
方法。
［第２の局面］
前記芳香族炭化水素プラントは、芳香族炭化水素複合施設キシレン生成物分離ユニット及びベンゼン抽出ユニットを備える複数の芳香族炭化水素プラントサブユニットを備え、前記複数の油精製プラントは、硫黄回収プラント、ガス分離プラント、水素プラント、サワーウォータストリッパプラント、アミン再生プラント、及びディーゼル水素処理プラントを備える、
第１の局面の方法。
［第３の局面］
前記芳香族炭化水素プラントストリームは、前記複数の前記芳香族炭化水素プラントサブユニットの１つ以上からの複数のストリームを備え、
１つ以上の前記熱交換器は、前記１つ以上の複数の芳香族炭化水素プラントサブユニットからの前記複数のストリームを用いて、前記第１の油精製プラントからのストリームを直接的に加熱する、
第２の局面の方法。
［第４の局面］
前記芳香族炭化水素プラントストリームは、芳香族炭化水素複合施設キシレン分離ユニット内のラフィネート塔頂ストリームを備え、
前記ストリームを直接的に加熱する前記ステップは：
前記第１の熱交換器において、前記ラフィネート塔頂ストリームの第１の分岐を用いて前記硫黄回収プラントのアミン再生塔底ストリームを加熱するステップと；
第２の熱交換器において、前記ラフィネート塔頂ストリームの第２の分岐を用いて、前記ガス分離プラント内のＣ３／Ｃ４スプリッタ塔底ストリームを加熱するステップと；
第３の熱交換器において、前記ラフィネート塔頂ストリームの第３の分岐を用いて、前記ガス分離器プラント中の脱エタン塔底ストリームを加熱するステップと；
前記加熱されたアミン再生塔底ストリームを、前記硫黄回収プラントへ流すステップと；
前記加熱されたＣ３／Ｃ４スプリッタ塔底ストリームと、前記加熱された脱エタン塔底ストリームとを、前記ガス分離プラント内へ流すステップと；
を備える、
第３の局面の方法。
［第５の局面］
前記第１の熱交換器、前記第２の熱交換器及び前記第３の熱交換器は、互いに並列に流体的に連結される、
第４の局面の方法。
［第６の局面］
前記芳香族炭化水素プラントストリームが、前記ベンゼン抽出ユニット内のラフィネートスプリッタ塔底ストリームを備え、
前記第１の熱交換器において、水素プラント内の低温シフト（ＬＴＳ）水素プラントストリームを用いて、前記ラフィネートスプリッタ塔底ストリームを加熱するステップと；
第２の熱交換器において、前記ディーゼル水素処理プラント内のディーゼルストリッパ塔頂ストリームを用いて、前記サワーウォータストリッパプラント内の前記サワーウォータストリッパ低温塔底ストリームの第１の分岐を加熱するステップと；
第３の熱交換器において、前記ディーゼル水素処理プラント内のディーゼルストリッパ塔底留分ストリームを用いて、前記サワーウォータストリッパ低温塔底ストリームの第２の分岐を加熱するステップと；
前記加熱されたラフィネートスプリッタ塔底ストリームを前記ベンゼン抽出ユニットへ流すステップと；
前記サワーウォータストリッパ低温塔底ストリームの、前記加熱された第１の分岐及び前記加熱された第２の分岐を、前記サワーウォータストリッパプラントへ流すステップと；
を備える、
第３の局面の方法。
［第７の局面］
前記第２の熱交換器と、前記第３の熱交換器とは、互いに並列に流体的に連結される、
第６の局面の方法。
［第８の局面］
前記芳香族炭化水素プラントストリームは、芳香族炭化水素複合施設キシレン分離ユニット内のラフィネート塔頂ストリームを備え、
前記ストリームを直接的に加熱する前記ステップは：
前記第１の熱交換器において、ラフィネート塔頂ストリームの第１の分岐を用いて、前記サワーウォータストリッパプラント内のサワーウォータストリッパ低温塔底ストリームを加熱するステップと；
第２の熱交換器において、前記ラフィネート塔頂ストリームの第２の分岐を用いて、前記ガス分離プラント内のＣ３／Ｃ４スプリッタ塔底ストリームを加熱するステップと；
第３の熱交換器において、前記ラフィネート塔頂ストリームの第３の分岐を用いて、前記ガス分離プラント中の脱エタン塔底ストリームを加熱するステップと；
前記加熱されたサワーウォータストリッパ低温塔底ストリームの分岐を、前記サワーウォータストリッパプラント内へ流すステップと；
前記加熱されたＣ３／Ｃ４スプリッタ塔底ストリーム及び加熱された脱エタン塔底ストリームを、前記ガス分離プラント内へ流すステップと；
を備える、
第３の局面の方法。
［第９の局面］
前記第１の熱交換器、前記第２の熱交換器及び前記第３の熱交換器は、互いに並列に連結される、
第８の局面の方法。
［第１０の局面］
前記芳香族炭化水素プラントストリームは芳香族炭化水素複合施設キシレン分離ユニット内のラフィネート塔頂ストリームを備え、
前記ストリームを直接的に加熱する前記ステップは：
前記第１の熱交換器において、前記ラフィネート塔頂ストリームの第１の分岐を用いて、前記サワーウォータストリッパプラント内のサワーウォータストリッパ低温塔底ストリームを加熱するステップと；
第２の熱交換器において、前記ラフィネート塔頂ストリームの第２の分岐を用いて、アミン再生塔底ストリームを加熱するステップと；
前記加熱されたサワーウォータストリッパ低温塔底ストリームを、前記サワーウォータストリッパプラント内へ流すステップと；
前記加熱されたアミン再生塔底ストリームを、前記硫黄回収プラントへ流すステップと；
を備える、
第３の局面の方法。
［第１１の局面］
前記第１の熱交換器及び前記第２の熱交換器は、互いに並列に流体的に連結される、
第１０の局面の方法。
［第１２の局面］
前記芳香族炭化水素プラントストリームは芳香族炭化水素複合施設キシレン分離ユニット内のラフィネート塔頂ストリームを備え、
前記ストリームを直接的に加熱する前記ステップは：
前記第１の熱交換器において、前記ラフィネート塔頂ストリームの第１の分岐を用いて、前記アミン再生塔プラントの酸性ガス再生塔底ストリームを加熱するステップと；
第２の熱交換器において、前記ラフィネート塔頂ストリームの第２の分岐を用いて、アミン再生塔底ストリームを加熱するステップと；
前記加熱された低温の酸性ガス再生塔底ストリームを、前記アミン再生プラントへ流すステップと；
前記加熱されたアミン再生塔底ストリームを、前記硫黄回収プラントへ流すステップと；
を備える、
第３の局面の方法。
［第１３の局面］
前記第１の熱交換器及び前記第２の熱交換器は、互いに並列に流体的に連結される、
第１２の局面の方法。
［第１４の局面］
前記芳香族炭化水素プラントストリームは芳香族炭化水素複合施設キシレン分離ユニット内のラフィネート塔頂ストリームを備え、
前記ストリームを直接的に加熱する前記ステップは：
前記第１の熱交換器において、前記ラフィネート塔頂ストリームの第１の分岐を用いて、酸性ガス再生塔底ストリームを加熱するステップと；
第２の熱交換器において、前記ラフィネート塔頂ストリームの第２の分岐を用いて、サワーウォータストリッパプラント塔底ストリームを加熱するステップと；
前記加熱された酸性ガス再生塔低温塔底ストリームを、前記アミン再生プラントへ流すステップと；
前記加熱されたサワーウォータストリッパプラント塔底ストリームを、前記サワーウォータストリッパプラントへ流すステップと；
を備える、
第３の局面の方法。
［第１５の局面］
前記第１の熱交換器及び前記第２の熱交換器は、互いに並列に流体的に連結される、
第１４の局面の方法。
［第１６の局面］
前記芳香族炭化水素プラントストリームは芳香族炭化水素複合施設キシレン分離ユニット内のラフィネート塔頂ストリームを備え、
前記ストリームを直接的に加熱するステップは：
前記第１の熱交換器において、前記ラフィネート塔頂ストリームの第１の分岐を用いて、前記アミン再生塔プラントの酸性ガス再生塔底ストリームを加熱するステップと；
第２の熱交換器において、前記ラフィネート塔頂ストリームの第２の分岐を用いて、前記サワーウォータストリッパプラント内のサワーウォータストリッパプラント塔底ストリームを加熱するステップと；
第３の熱交換器において、前記芳香族炭化水素プラント内の抽出塔頂ストリームを用いて、前記硫黄回収プラントのアミン再生塔底ストリームを加熱するステップと；
前記加熱された酸性ガス再生塔低温塔底ストリームを、前記アミン再生プラントへ流すステップと；
前記加熱されたサワーウォータストリッパプラント塔底ストリームを、前記サワーウォータストリッパプラントへ流すステップと；
前記加熱されたアミン再生塔底ストリームを、前記硫黄回収プラントへ流すステップと；
を備える、
第３の局面の方法。
［第１７の局面］
前記第１の熱交換器及び前記第２の熱交換器は、互いに並列に流体的に連結される、
第１６の局面の方法。
［第１８の局面］
前記１つ以上の熱交換器が、前記芳香族炭化水素プラントストリームを用いて間接的に緩衝流体を通って前記第１の油精製プラントからの前記ストリームを加熱する、
第２の局面の方法。
［第１９の局面］
前記緩衝流体は少なくとも油又は水を備える、
第１８の局面の方法。
［第２０の局面］
前記第１の油精製プラントからのストリームを、前記緩衝流体を介して間接的に加熱するステップは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記硫黄回収プラントへ流すステップと；
第２の熱交換器において、前記加熱された緩衝流体の第１の分岐を用いて、アミン再生塔底ストリームを加熱するステップと：
前記第２の熱交換器を出る前記緩衝流体を、第１及び第２の分岐に分割するステップと；
前記加熱された緩衝流体の前記第１の分岐を、前記ガス分離プラントへ流すステップと；
第３の熱交換器において、前記加熱された緩衝流体の前記第２の分岐を用いて、前記ガス分離プラントストリーム内の脱エタン塔底ストリームを加熱するステップと；
前記加熱された緩衝流体の前記第２の分岐を前記ガス分離プラントへ流すステップと；
第４の熱交換器において、前記緩衝流体の前記第３の分岐を用いて前記ベンゼン抽出ユニット内のＣ３／Ｃ４スプリッタ塔底ストリームを加熱するステップと；
を備える、
第１８の局面の方法。
［第２１の局面］
前記第２の分岐及び前記第３の分岐は前記ガス分離プラントと並行して流れ、
前記第３の熱交換器及び前記第４の熱交換器をそれぞれ出る前記第２の分岐及び前記第３の分岐を合流させ、合流した緩衝流体ストリームとなすステップと；
前記合流した緩衝流体ストリームを緩衝流体タンクへ流すステップと；
を更に備える、
第２０の局面の方法。
［第２２の局面］
前記第１の熱交換器及び前記第２の熱交換器は互いに直列に流体的に連結され、前記第３の熱交換器は、前記第２の熱交換器に直列に流体的に連結され、前記第４の熱交換器は、前記第２の熱交換器に直列に流体的に連結する、
第２０の局面の方法。
［第２３の局面］
前記第１の油精製プラントからのストリームを、前記緩衝流体を介して間接的に加熱するステップは：
前記第１の熱交換器において、前記水素プラント内の低温シフト（ＬＴＳ）転化生成物ストリームを用いて、前記緩衝流体の第１の分岐を加熱するステップと；
第２熱交換器において、前記ディーゼル水素処理プラント内のディーゼルストリッパ塔頂ストリームを用いて、前記緩衝流体の第２の分岐を加熱するステップと；
第３熱交換器において、前記ディーゼル水素処理プラント内のディーゼルストリッパ塔底留分ストリームを用いて、前記緩衝流体の第３の分岐を加熱するステップと；
前記加熱された第１の分岐、前記加熱された第２の分岐及び前記加熱された第３の分岐を合流させ、加熱された緩衝流体となすステップと；
前記合流した、加熱された第１の分岐、加熱された第２の分岐及び加熱された第３の分岐を、前記サワーウォータストリッパプラントへ流すステップと；
第４の熱交換器において、前記合流した、加熱された第１の分岐、加熱された第２の分岐及び加熱された第３の分岐を用いて、サワーウォータストリッパ塔底ストリームを加熱するステップと；
前記第４熱交換器を出る、前記合流した、加熱された第１の分岐、加熱された第２分岐及び加熱された第３の分岐を、ベンゼン抽出ユニットへ流すステップと；
第５の熱交換器において、前記第４の熱交換器から受け取られた、前記合流した、加熱された第１の分岐、加熱された第２の分岐及び加熱された第３の分岐を用いて、前記ベンゼン抽出ユニット内のラフィネート塔ストリームを加熱するステップと；
を備える、
第１８の局面の方法。
［第２４の局面］
前記第５の熱交換器を出る前記加熱された緩衝流体を、緩衝流体タンクへ流すステップを更に備える、
第２３の局面の方法。
［第２５の局面］
前記第１の熱交換器、前記第２の熱交換器及び前記第３の熱交換器は、互いに並列に流体的に連結され、前記第４の熱交換器は、前記第１の熱交換器、前記第２の熱交換器及び前記第３の熱交換器の組み合わせと並列に流体的に連結され、前記第５の熱交換器は、前記第４の熱交換器と直列に流体的に連結される、
第２３の局面の方法。
［第２６の局面］
前記第１の油精製プラントからのストリームを、前記緩衝流体を介して間接的に加熱するステップは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器から出る前記加熱された緩衝流体を、前記サワーウォータストリッパプラントへ流すステップと；
第２の熱交換器において、前記第１の熱交換器から受け取られる前記加熱された緩衝流体の第１の分岐を用いて、前記サワーウォータストリッパプラント内のサワーウォータストリッパ低温塔底ストリームを加熱するステップと；
前記第２の熱交換器から受け取られる前記加熱された緩衝流体を、第１の分岐及び第２の分岐に分割するステップと；
前記第１の分岐を、前記ガス分離プラントへ流すステップと；
第３の熱交換器において、前記第１の分岐を用いて、前記ガス分離プラント内の脱エタン塔底ストリームを加熱するステップ；
前記第２の分岐を、前記ガス分離プラントへ流すステップと；
第４の熱交換器において、前記第２の分岐を用いて、前記ベンゼン抽出ユニット内のＣ３／Ｃ４スプリッタ塔底ストリームを加熱するステップと；
を備える、
第１８の局面の方法。
［第２７の局面］
前記第３の熱交換器及び前記第４の熱交換器をそれぞれ出る前記第１の分岐及び前記第２の分岐を合流させ、合流した緩衝流体ストリームとなすステップと；
前記合流した緩衝流体ストリームを緩衝流体タンクへ流すステップと；
を更に備える、
第２６の局面の方法。
［第２８の局面］
前記第１の熱交換器及び前記第２の熱交換器は互いに直列に流体的に連結され、前記第２の熱交換器及び前記第３の熱交換器は互いに流体的に直列に連結され、前記第３の熱交換器と前記第４の熱交換器は互いに並列に連結され、前記第２の熱交換器は、前記第３及び第４の熱交換器の組み合わせに直列に流体的に連結される、
第２６の局面の方法。
［第２９の局面］
前記第１の油精製プラントからのストリームを、前記緩衝流体を介して間接的に加熱する前記ステップは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、第１及び第２の分岐に分割するステップと；
前記第１の分岐を、前記硫黄回収プラントに流すステップと；
第２の熱交換器において、前記第１の分岐を用いて、前記硫黄回収プラント内のアミン再生塔底ストリームを加熱するステップと；
前記第２の分岐を、前記サワーウォータストリッパプラントへ流すステップと；
第３の熱交換器において、前記第２の分岐を用いて、前記硫黄回収プラント内のサワーウォータストリッパ塔底ストリームを加熱するステップと；
を備える、
第１８の局面の方法。
［第３０の局面］
前記第１の分岐及び前記第２の分岐は、前記サワーウォータストリッパプラントへ並列に流入し、
前記第２の熱交換器及び前記第３の熱交換器をそれぞれ出る前記第１の分岐及び前記第２の分岐を合流させ、合流した緩衝流体ストリームとなすステップと；
前記合流した緩衝流体ストリームを、緩衝流体タンクへ流すステップと；
を更に備える、
第２９の局面の方法。
［第３１の局面］
前記第２の熱交換器及び前記第３の熱交換器は互いに並行に流体的に連結され、前記第１の熱交換器と、前記第２の熱交換器及び前記第３の熱交換器の組み合わせとが、互いに直列に流体的に連結される、
第２９の局面の方法。
［第３２の局面］
前記第１の油精製プラントからの前記ストリームを、前記緩衝流体を介して間接的に加熱する前記ステップは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記硫黄回収プラントへ流すステップと；
第２の熱交換器において、前記第１の熱交換器から受け取られた前記加熱された緩衝流体を用いて、前記硫黄回収プラント内のアミン再生塔底ストリームを加熱するステップと；
前記第２の熱交換器を出る前記加熱された緩衝流体を、前記アミン再生プラントへ流すステップと；
第３の熱交換器において、前記第２の熱交換器から受け取られた前記加熱された緩衝流体用いて、前記アミン再生プラント内の酸性ガス再生塔底ストリームを加熱するステップと；
を備える、
第１８の局面の方法。
［第３３の局面］
前記第１の熱交換器、前記第２の熱交換器及び前記第３の熱交換器は、互いに直列に連結され、
前記第３の熱交換器を出る前記緩衝流体ストリームを、緩衝流体タンクへ流すステップ；
を更に備える、
第３２の局面の方法。
［第３４の局面］
前記第１の油精製プラントからの前記ストリームを、前記緩衝流体を介して間接的に加熱するステップは：
前記第１の熱交換器において、前記芳香族炭化水素複合施設キシレン生成物分離ユニット内のラフィネート塔頂ストリームを用いて、前記緩衝流体を加熱するステップと；
前記第１の熱交換器を出る前記加熱された緩衝流体を、前記サワーウォータストリッパプラントへ流すステップと；
第２の熱交換器において、前記第１の熱交換器から受け取られる前記加熱された緩衝流体を用いて、前記サワーウォータストリッパプラント内のサワーウォータストリッパプラント塔底ストリームを加熱するステップと；
前記第２の熱交換器を出る前記加熱された緩衝流体を、前記アミン再生プラントへ流すステップと；
第３の熱交換器において、前記第２の熱交換器から受け取られる前記加熱された緩衝流体の第２の分岐を用いて、前記アミン再生プラント内の酸性ガス再生塔低温塔底ストリームを加熱するステップと；
を備える、
第１８の局面の方法。
［第３５の局面］
前記第１の熱交換器、前記第２の熱交換器及び前記第３の熱交換器は、互いに直列に連結され、
前記第３の熱交換器を出る前記緩衝流体ストリームを、緩衝流体タンクへ流すステップ；
を備える、
第３４の局面の方法。
［第３６の局面］
前記第１の油精製プラントからの前記ストリームを、前記緩衝流体を介して間接的に加熱する前記ステップは：
前記第１の熱交換器において、前記芳香族炭化水素複合施設キシレン生成物分離ユニット内のラフィネート塔頂ストリームを用いて、前記緩衝流体の第１の分岐を加熱するステップと；
第４の熱交換器において、前記芳香族炭化水素プラント内で抽出塔頂ストリームを用いて、前記緩衝流体の第２の分岐を加熱するステップと；
前記第１の熱交換器を出る前記加熱された緩衝流体の前記第１の分岐を、前記サワーウォータストリッパプラントへ流すステップと；
第２の熱交換器において、前記第１の熱交換器から受け取られた前記加熱された緩衝流体の前記第１の分岐を用いて、前記サワーウォータストリッパプラント内のサワーウォータストリッパ塔底ストリームを加熱するステップと；
前記第２の熱交換器を出る前記加熱された緩衝流体を前記アミン再生プラントへ流すステップと；
第３の熱交換器において、前記第２の熱交換器から受け取られた前記加熱された緩衝流体を用いて、酸性ガス再生塔底ストリームを加熱するステップと；
前記第４の熱交換器を出る前記加熱された緩衝流体の前記第２の分岐を、前記硫黄回収プラントへ流すステップと；
第５の熱交換器において、前記第４の熱交換器から受け取られた前記加熱された緩衝流体を用いて、前記硫黄回収プラント内のアミン再生塔底ストリームを加熱するステップと；
を備える、
第１８の局面の方法。
［第３７の局面］
前記第３の熱交換器を出る前記第１の分岐と、前記第５の熱交換器を出る前記第２の分岐とを合流させ、合流した緩衝流体ストリームとなすステップと；
前記合流した緩衝流体ストリームを緩衝流体タンクへ流すステップと；
を更に備える、
第３６の局面の方法。
［第３８の局面］
前記第１の熱交換器及び前記第４の熱交換器は互いに並列に流体的に連結され、前記第１の熱交換器及び前記第２の熱交換器は互いに直列に流体的に連結され、前記第２の熱交換器及び前記第３の熱交換器は互いに直列に流体的に連結され、前記第５の熱交換器及び前記第４の熱交換器は互いに直列に流体的に連結される、
第３６の局面の方法。
［第３９の局面］
原油精製施設で実施されるシステムであって、第１の局面の方法を実施するように構成される、
システム。
［第４０の局面］
前記システムが流量制御システムを備える、
第３９の局面のシステム。